【手続補正書】
【提出日】平成18年7月20日(2006.7.20)
【手続補正１】
【補正対象書類名】明細書
【補正対象項目名】特許請求の範囲
【補正方法】変更
【補正の内容】
【特許請求の範囲】
【請求項１】  PCMCIAカードの形での筐体と
該筐体の一端に設けられて、コンピュータのPCMCIAポートと接続し得るPCMCIA規格Ｉ/Ｏポートと、
前記筐体内にあってPCMCIA規格Ｉ/Ｏポートに接続されていて、個人向け情報装置のPCMCIA規格Ｉ/Ｏポートがコンピュータに接続されているときに、当該コンピュータがPCMCIA規格Ｉ/Ｏポートを介して直接アクセスできるようになっていて、コンピュータから供給されるプログラム書換えコードおよびアプリケーションコードを含むプログラム書換えデータを受信して保存する第１メモリと、
前記筐体内にあって、コンピュータには直接アクセスできない第２メモリと、
前記第１及び第２メモリと接続されていて、前記第１メモリからプログラム書換えコードを前記第２メモリに転送して、該第２メモリに転送した前記プログラム書換えコードを実行する制御器と、
上記筐体に入っている第３メモリとからなる個人向け情報機器であって、
前記制御器が、前記第２メモリに保存されている実行したプログラム書換えコードの制御の下で、前記第１メモリに保存されているアプリケーションコードを利用して前記第３メモリをプログラミングするようになっており、
前記個人向け情報機器が、さらに前記筐体の中にあり、ユーザがアクセスしてユーザ入力情報を受信できて少なくとも一つの編集ボタンを備える入力装置と、前記筐体の中または外側に、前記ユーザに見せて情報をそこに表示できる扁平パネル型表示装置とを備え、
前記制御器は、前記第３メモリの中にプログラムされた前記アプリケーションコードを実行できるようになっており、前記アプリケーションコードが実行されると、前記入力装置が受信した前記ユーザ入力情報に応答し、前記実行されたアプリケーションコードにしたがって、前記扁平パネル表示装置を制御するようになり、前記アプリケーションコードが実行されている間に前記編集ボタンが押下されると、前記制御器は編集モードを入力できるようになり、ユーザ入力エントリは個人向け情報端末へ追加、変更、削除ができる。
【請求項２】  PCMCIAカードの形をした個人向け情報機器にコンピュータからプログラム書換えデータをダウンロードする方法であって、
個人向け情報機器のPCMCIA規格Ｉ/ＯポートがコンピュータのPCMCIA規格Ｉ/Ｏポートと接続されているときに当該コンピュータが個人向け情報機器のPCMCIA規格Ｉ/Ｏポートを介して当該機器の第１メモリに直接アクセスするステップと、
コンピュータから送られる、プログラム書換えコードおよびアプリケーションコードを含むプログラム書換えデータを第１メモリに保存するステップと、
第１メモリに保存されたプログラム書換えコードを個人向け情報機器の第２メモリに転送するステップと、
第２メモリ内のプログラム書換えコードを実行するステップと
前記アプリケーションコードが、前記第２メモリに保存された実行しているプログラム書換えコードの制御の下で、前記第１メモリに保存された前記アプリケーションコードを利用して第３メモリをプログラミングするステップと、
個人向け情報機器の編集ボタンを含む入力装置にユーザが直接入力したユーザ入力情報を受信するステップと、
ユーザには見えるようになっている個人向け情報機器の扁平パネル型表示装置に情報を表示するステップと、
第３メモリにプログラミングしたアプリケーションコードを実行するステップと、
アプリケーションコードに従って編集モードに入ることによりユーザによる編集ボタンの押下に応答するステップと、
前記編集モードにしたがってユーザ入力情報を受信するステップ、
編集モードに従って扁平パネル型表示装置に表示されている情報を制御するステップとからなるダウンロード方法。
【請求項３】  PCMCIAカードの形での筐体と
該筐体の一端に設けられて、コンピュータのPCMCIAポートと接続し得るPCMCIA規格Ｉ/Ｏポートと、
前記筐体内にあってユーザがアクセスできると共に、ユーザの入力するユーザ入力情報を受け取る、編集ボタンを含む入力装置と、
アプリケーションコードと前記ユーザ入力情報とを受けて保存する前記筐体内のメモリと、
前記筐体内または筐体外にあって、ユーザに対して情報表示を行う扁平パネル型表示装置と、
前記メモリと接続されていて、該メモリに保存されているアプリケーションコードの実行と前記扁平パネル型表示装置の制御とを行うと共に、前記アプリケーションコードを実行していると、ユーザの編集ボタンの押下により編集モードに入る一方、前記編集モードの時に、入力装置が受信する他のユーザ入力情報に応答して前記メモリ内のユーザ入力情報を編集するようになっている制御器とからなる個人向け情報機器であって、
前記メモリは第１及び第２メモリからなり、
前記第１メモリは、個人向け情報機器のPCMCIA規格Ｉ/Ｏポートがコンピュータに接続されている時に当該PCMCIA規格Ｉ/Ｏポートを介してコンピュータが直接アクセスできるようになっていて、
前記第１メモリは、コンピュータから供給されるプログラム書換えコードを含むプログラム書換えデータを受信して保存するようになっており、
他方、前記第２メモリはコンピュータには直接アクセスできず、
而して、前記制御器は、個人向け情報機器がコンピュータとの接続から断たれると前記第１メモリに保存されているプログラム書換えコードを前記第２メモリに転送するようになっていることよりなる個人向け情報機器。
【請求項４】  第１ボーレートで通信する個人向け情報機器と前記第１ボーレートとは違った第２ボーレートで通信するコンピュータとの間を接続すると共に、データ送受信を行うドッキングステーションであって、
前記個人向け情報機器のPCMCIA規格Ｉ/Ｏポートに接続するようにしたPCMCIAポートと、
前記コンピュータのＩ/Ｏポートと接続するようにしたシリアルコネクタと、
前記PCMCIAポートと前記シリアルコネクタとに接続されて、前記PCMCIAポートと前記シリアルコネクタとを介して個人向け情報機器とコンピュータとの間でのデータ送受信をすべく動作する制御器とからなり、
コンピュータと個人向け情報機器の何れか一方から他方にシリアルデータを供給するときに、前記制御器が、
前記一方から供給され、対応する複数のビットを含む複数のフレーム単位バイトの各々を受信し、
前記制御器は、命令を含む所定のルーチンと共に構成され、前記所定のルーチンを実行し、前記制御器は、実行された前記所定のルーチンの命令に対応した命令サイクルを数えるようになっており、上記制御器が、
前記数えられた命令サイクルに基づき、対応する各フレーム単位バイトの複数のビットの少なくとも一つのビットを記憶し、
前記数えられた命令サイクルに基づき、少なくとも一つのビットを各フレーム単位バイトに付加し、
前記他方に対して、対応するフレーム単位バイトの前記複数のビットの各々を、当該フレーム単位バイトの前記付加した少なくとも一つのビットと共にシリアル供給するようになっており、特定の数えられた命令サイクル時に供給されるようになっていることよりなるドッキングステーション。
【請求項５】  第１ボーレートで通信する個人向け情報機器と前記第１ボーレートとは違った第２ボーレートで通信するコンピュータとの間を接続すると共に、データ送受信を行うドッキングステーションであって、
前記個人向け情報機器のPCMCIA規格Ｉ/Ｏポートに接続するようにしたPCMCIAポートと、
前記コンピュータのＩ/Ｏポートと接続するようにしたシリアルコネクタと、
前記PCMCIAポートと前記シリアルコネクタとに接続されて、前記PCMCIAポートと前記シリアルコネクタとを介して個人向け情報機器とコンピュータとの間でのデータ送受信をすべく動作する制御器とからなり、
コンピュータと個人向け情報機器の何れか一方から他方にシリアルデータを供給するときに、前記制御器が、
前記一方から供給され、対応する複数のビットを含む複数のフレーム単位バイトの各々を受信し、
前記制御器は、少なくとも一つのタイマを含み、前記少なくとも一つのタイマは時間間隔を同定し、前記時間間隔は、時間の関数であり、前記第１ボーレートおよび前記第２ボーレートのうち一つであり、前記制御器は、
前記同定された時間間隔に基づき、対応する各フレーム単位バイトの複数のビットの少なくとも一つのビットを記憶し、
前記同定された時間間隔に基づき、少なくとも一つのビットを各フレーム単位バイトに付加し、
前記他方に対して、対応するフレーム単位バイトの前記複数のビットの各々を、特定の同定された時間間隔において、当該フレーム単位バイトの前記付加した少なくとも一つのビットと共にシリアル供給するようになっていることよりなるドッキングステーション。
【請求項６】  第１ボーレートで通信する個人向け情報機器と前記第１ボーレートとは違った第２ボーレートで通信するコンピュータとの間を接続すると共に、データ送受信を行う方法であって、
所定のルーチンの命令に対応する命令サイクルを数え、
前記個人向け情報機器と前記コンピュータの何れか一方から供給されるデータをシリアルに受信し、その受信されたデータは複数のフレーム単位バイトを含み、前記複数のフレーム単位バイトの各々は対応する複数のビットを含み、対応するフレーム単位バイトの前記ビットの各々は、特定の数えられた命令サイクルで受信し、
数えられた前記命令サイクルに基づいて、対応する各フレーム単位バイトの複数のビットの少なくとも一つを記憶し、
数えられた前記命令サイクルに基づいて、少なくとも一つのビットを各フレーム単位バイトに付加し、
特に数えられた命令サイクルにおいて、前記個人向け情報機器とコンピュータの他方に対して、対応するフレーム単位バイトの複数のビットの各々を、当該フレーム単位バイトの前記付加した少なくとも一つのビットと共にシリアル供給するようになっていることよりなるデータ送受信方法。
【請求項７】  第１ボーレートで通信する個人向け情報機器と前記第１ボーレートとは違った第２ボーレートで通信するコンピュータとの間を接続すると共に、データ送受信を行う方法であって、
時間間隔を同定し、該時間間隔が、時間の関数であり、前記第１のボーレートの一つであり、前記第２のボーレートの一つであり、
前記個人向け情報機器と前記コンピュータの何れか一方から供給されるデータをシリアルに受信し、その受信されたデータは複数のフレーム単位バイトを含み、前記複数のフレーム単位バイトの各々は対応する複数のビットを含み、対応するフレーム単位バイトの前記ビットの各々は、特定の同定された時間間隔で受信され、
同定された前記時間間隔に基づき、対応する各フレーム単位バイトの複数のビットの少なくとも一つを記憶し、
同定された前記時間間隔に基づき、少なくとも一つのビットを各フレーム単位バイトに付加し、
特定の同定された時間間隔において、前記個人向け情報機器とコンピュータの他方に対して、対応するフレーム単位バイトの複数のビットの各々を、当該フレーム単位バイトの前記付加した少なくとも一つのビットと共にシリアル供給するようになっていることよりなるデータ送受信方法。
【請求項８】  PCMCIAカードの形をした個人向け情報機器と、
個人向け情報機器の一端のPCMCIA規格Ｉ／Ｏポートと、
該個人向け情報機器のPCMCIAポートに接続するようにしたPCMCIAコネクタとコンピュータのＩ/Ｏポートに接続するようにしたシリアルコネクタとを有するドッキングステーションと、
該ドッキングステーションにあって、時間間隔を同定するために構成されたタイマと命令サイクルを数えるために構成されたカウンタとのうち一つを使用することにより、ドッキングステーションの前記PCMCIAコネクタとシリアルコネクタとに接続されていて、ドッキングステーションのシリアルコネクタと接続したコンピュータから送られる第１ボーレートでのシリアル送信を受信すると共に、ドッキングステーションの前記PCMCIAコネクタに接続した個人向け情報機器に第１ボーレートとは異なった第２ボーレートでシリアル送信を供給するドッキングステーション制御器と、
前記個人向け情報機器にあるメモリと、
前記個人向け情報機器にあって、前記メモリと当該個人向け情報機器の前記PCMCIA規格Ｉ/Ｏポートとに接続されていて、前記ドッキングステーションから送られるシリアル送信を受信して、該シリアル送信でのデータを前記メモリに保存する個人向け情報機器制御器とからなる個人向け情報機器システム。